(57)【特許請求の範囲】
【請求項１】
廃棄物収容袋を搬送する搬送手段の搬送経路の上方に配されかつ廃棄物収容袋を破る破袋機であって、刃先を下方に向けた複数のカッタが、搬送手段の搬送方向に並んで配されかつ隣接するものどうしが搬送手段の搬送経路と直角をなす水平軸線の周りに揺動しうるように連結されることによりカッタ列が構成され、カッタ列の一端が、搬送手段の搬送経路の上方に設けられたフレームに、搬送手段の搬送経路と直角をなす水平軸線の周りに揺動しうるように取り付けられ、カッタ列の他端に線状支持部材が取り付けられ、線状支持部材が、緊張弛緩手段を介してフレームに取り付けられている破袋機。
【発明の詳細な説明】
【０００１】
【発明の属する技術分野】
この発明は、廃棄物収容袋を搬送する搬送手段の搬送経路の上方に配されかつ廃棄物収容袋を破る破袋機に関し、さらに詳しくは、たとえば袋に入れた状態で収集されたペットボトル、プラスチックトレイ等の有用廃プラスチック類や、アルミニウム缶、スチール缶等の空き缶や、空き瓶等の有用廃棄物を、再利用するために袋から取り出して回収するさいに、廃棄物収容袋を破る破袋機に関する。
【０００２】
【従来の技術】
近年、有用廃プラスチック類、空き缶および空き瓶等の再利用化が進められており、そのためこれらの有用廃棄物を袋に入れた状態で分別収集し、廃棄物収容袋を有用廃棄物処理施設に搬入し、ここで有用廃棄物を袋から取り出して有用廃プラスチック類、アルミニウム缶、スチール缶、空き瓶に選別し、それぞれを回収するようになっている。そして、効率良く有用廃棄物を袋から取り出すために、自動的に袋を破る破袋装置が用いられている。
【０００３】
従来、破袋装置としては、廃棄物収容袋を搬送する搬送手段の上方に種々の破袋機が配されたものが知られている。この破袋装置に用いられる破袋機としては、たとえば厚生省水道環境部監修の「ごみ処理施設構造指針解説」に記載されたキャタピラ式破袋機、フック式破袋機および剪断式破袋機や、特許第２８４２３９５号公報に記載されたロータリ破袋機等がある。
【０００４】
キャタピラ式破袋機は、袋を破るためのスパイクが取り付けられたキャタピラと、キャタピラを駆動する可変速の駆動装置とよりなるものである。
【０００５】
フック式破袋機は、搬送方向に間隔をおいて配された２組の爪と、これらの爪を異なる方向に揺動させる駆動装置とよりなるものである。
【０００６】
剪断式破袋機は、搬送方向に間隔をおいて配された２組の回転刃と、これらの回転刃を異なる方向に回転させる駆動装置とよりなるものである。
【０００７】
ロータリ破袋機は、上下動しうるフレームと、このフレームに搬送経路の幅方向に間隔をおいて回転自在に支持された複数の回転カッタと、これらの回転カッタを回転させる駆動装置とよりなるものである。
【０００８】
【発明が解決しようとする課題】
しかしながら、従来の破袋機では、いずれの場合にも構造が複雑になってその重量が比較的大きくなり、搬送手段の搬送経路に対する初期の高さ調整作業が困難になるとともに、既設の搬送装置への追設が困難であるという問題がある。また、破袋力を発生するための駆動装置を必要とするので、コストが高くなるという問題がある。しかも、従来の破袋機では、いずれの場合も破袋率（搬送される全資源ごみ収容袋の中の破られる袋の割合）は６０〜７０％程度であることから、この破袋率をアップさせる目的で、搬送手段の搬送経路に沿って２つ以上の破袋機を並べて配置することが考えられるが、この場合には上述した問題点がさらに顕著になる。
【０００９】
この発明の目的は、上記問題を解決し、構造が簡単でかつ軽量化を図ることができるとともに、コストが安い破袋機を提供することにある。
【００１０】
【課題を解決するための手段と発明の効果】
この発明による破袋機は、廃棄物収容袋を搬送する搬送手段の搬送経路の上方に配されかつ廃棄物収容袋を破る破袋機であって、刃先を下方に向けた複数のカッタが、搬送手段の搬送方向に並んで配されかつ隣接するものどうしが搬送手段の搬送経路と直角をなす水平軸線の周りに揺動しうるように連結されることによりカッタ列が構成され、カッタ列の一端が、搬送手段の搬送経路の上方に設けられたフレームに、搬送手段の搬送経路と直角をなす水平軸線の周りに揺動しうるように取り付けられ、カッタ列の他端に線状支持部材が取り付けられ、線状支持部材が、緊張弛緩手段を介してフレームに取り付けられているものである。
【００１１】
この発明の破袋機において、線状支持部材としては、ワイヤ、ロープ、板ばね、コイルばね、チェーン等が用いられる。
【００１２】
この発明の破袋機によれば、緊張弛緩手段により線状支持部材を緊張、弛緩させることにより、カッタの刃先の搬送経路に対する高さ調整を行うことができる。また、搬送手段の搬送経路に沿って廃棄物収容袋が搬送されてくると、互いに連結されたカッタが複雑に波打つように揺動し、自重による袋への押し付け効果だけではなく、隣接するカッタの刃先による切断効果も生じ、効率良く袋が破られる。
【００１３】
そして、この発明の破袋機によれば、複数のカッタからなるカッタ列と、線状支持部材と、緊張弛緩手段とより構成されているので、従来の破袋機に比較して構造が簡単になってその重量が小さくなり、搬送手段の搬送経路に対する初期の高さ調整作業が簡単になるとともに、既設の搬送装置への追設を容易に行うことができる。また、袋を破るための力を発生する駆動装置を必要としないので、従来の破袋機に比較してコストが安くなる。
【００１４】
【発明の実施形態】
以下、この発明の実施形態を、図面を参照して説明する。
【００１５】
なお、以下の説明において、搬送装置の搬送方向前方を前、これと反対側を後といい、後方から前方を見たさいの左右を左右というものとする。
【００１６】
図１はこの発明による破袋機を備えた破袋装置を示し、図２はこの発明の破袋機を示す。
【００１７】
図１において、破袋装置は、図示しない投入ホッパから受け取った廃棄物収容袋を斜め上方に搬送するエプロンコンベア等からなる搬送装置(1)と、搬送装置(1)の搬送経路(2)の上方に、前後方向に間隔をおいて配された２つの破袋機(3)(4)とからなる。２つの破袋機(3)(4)のうち前方の破袋機(3)がこの発明に係るものである。なお、後方の破袋機(4)としては、上述した従来のもののうちのいずれの破袋機を用いてもよく、ここではこの破袋機(4)の詳細な図示および説明は省略する。
【００１８】
図１および図２に示すように、この発明による破袋機(3)においては、前後方向に並びかつ刃先を下方に向けた複数のカッタ(5)からなるカッタ列(6)が、左右方向に間隔をおいて複数配されている。各カッタ列(6)を構成するカッタ(5)は、１つの頂点が下方を向いた三角形状であり、その下端部に下方を向いた刃先が形成されている。また、各カッタ列(6)において、隣接するカッタ(5)どうしは、ヒンジ等により左右方向に伸びる水平軸線の周りに揺動しうるように連結されている。
【００１９】
各カッタ列(6)の後端のカッタ(5)は、左右のフレーム(7)間に渡し止められた左右方向に伸びる水平軸(8)に、水平軸線の周りに揺動自在に取り付けられている。また、各カッタ列(6)の前端のカッタ(5)に、ワイヤ、ロープ、板ばね、コイルばね、チェーン等からなる線状支持部材(9)が取り付けられている。カッタ列(6)の所定距離前方において、左右のフレーム(7)間に支持バー(10)が渡し止められており、支持バー(10)にもワイヤ、ロープ、板ばね、コイルばね、チェーン等からなる線状支持部材(11)が取り付けられている。そして、これらの線状支持部材(9)(11)が、ターンバックル(12)（緊張弛緩手段）を介して相互に連結されている。ターンバックル(12)により、線状支持部材(9)(11)およびカッタ列(6)を緊張、弛緩することにより、各カッタ列(6)のカッタ(5)における刃先の搬送経路(2)に対する高さ位置を簡単に調整することができる。
【００２０】
このような構成の破袋装置において、搬送装置(1)の搬送経路(2)に沿って搬送されてきた廃棄物収容袋は、まず破袋機(4)により破られる。このときの破袋率は６０〜７０％程度である。
【００２１】
ついで、破袋機(3)の下方まで搬送されてきた未破袋の袋は、破袋機(3)の各カッタ列(6)により破られる。このとき、互いに連結されたカッタ(5)が複雑に波打つように揺動することにより、自重による袋への押し付け効果だけではなく、隣接するカッタ(5)の刃先による切断効果も生じ、効率良く袋が破られる。そして、トータルの破袋率は８０〜９０％程度となる。
【００２２】
上記実施形態においては、緊張弛緩手段としてターンバックル(12)が用いられているが、これに代えて、ウィンチ等の線状部材の巻取、繰り出しを行いうる装置を用いてもよい。また、カッタ(5)は側方から見て三角形状であるが、この形状は適宜変更可能である。
【００２３】
さらに、上記実施形態においては、従来の破袋機(4)の前方にこの発明による破袋機(3)が配置されているが、これに限るものではなく、この発明による複数の破袋機が前後方向に間隔をおいて配置されていてもよい。
【図面の簡単な説明】
【図１】この発明による破袋機を備えた破袋装置を示す側面図である。
【図２】この発明による破袋機を示す平面図である。
【符号の説明】
(1)：搬送装置
(2)：搬送経路
(3)：破袋機
(5)：カッタ
(6)：カッタ列
(7)：フレーム
(9)(11)：線状支持部材
(12)：ターンバックル
【図１】
0003843351.tif 000002
【図２】
0003843351.tif 000003